(57)【要約】【課題】溶接個所を削減することができるガードフェンスを提供する。【解決手段】ガードフェンス１は、パネル体３と、パネル体３の縁に沿って延びる中枠部１０と、を備える。中枠部１０には、中枠部１０を挿通させた環状部１２と、環状部１２に一体に設けられた第２突片１４と、を有する中央固定部材１１が設けられている。中央固定部材１１の第２突片１４にパネル体３が固定される。中央固定部材１１は押出成型により無端の環状部１２と第２突片１４とが一体に成形されている。【選択図】図３
0003204707.tif 000002
【実用新案登録請求の範囲】
【請求項１】
フェンス本体と、
フェンス本体の縁に沿って延びる棒部材と、
を備えるガードフェンスであって、
棒部材を挿通させた環状部と、
環状部に一体に設けられた突片と、を有する固定部材を備え、
固定部材の突片にフェンス本体の縁部が固定され、
固定部材は押出成型により無端の環状部と突片とが一体に成形されていることを特徴とするガードフェンス。
【請求項２】
請求項１記載のガードフェンスであって、
前記フェンス本体は、第１フェンス本体と、第２フェンス本体との２つで構成されており、
前記棒部材は、第１フェンス本体と第２フェンス本体との間に位置するように配置されており、
前記固定部材の前記突片は、第１フェンス本体に固定される第１突片と、第２フェンス本体に固定される第２突片とで構成されていることを特徴とするガードフェンス。
【請求項３】
請求項１又は請求項２に記載のガードフェンスであって、
前記突片にはフック部が設けられ、
フック部を前記フェンス本体に係合させることにより前記固定部材の突片がフェンス本体に固定されることを特徴とするガードフェンス。
【請求項４】
請求項１から請求項３の何れか１項に記載のガードフェンスであって、
前記突片には挿通孔が設けられ、
挿通孔にネジを挿通してネジを前記フェンス本体に係合させることにより前記固定部材の前記突片をフェンス本体に固定していることを特徴とするガードフェンス。
【請求項５】
請求項２に記載のガードフェンスであって、
前記第１フェンス本体は金網であり、前記第２フェンス本体はパネル体であり、
前記第１突片にはフック部が設けられ、
前記第２突片には挿通孔が設けられ、
フック部を金網に係合させることにより金網が固定部材を介して棒部材に固定され、
挿通孔にネジを挿通してパネル体が固定部材を介してネジで棒部材に固定されることを特徴とするガードフェンス。
【請求項６】
請求項２に記載のガードフェンスであって、
前記第１フェンス本体は金網であり、前記第２フェンス本体はパネル体であり、
前記棒部材は、前記フェンス本体を囲う枠体の一部であって、横方向に延びており、
前記金網は棒部材の上方に配置され、
前記パネル体は棒部材の下方に配置されることを特徴とするガードフェンス。
【考案の詳細な説明】
【技術分野】
【０００１】
本考案は、ガードフェンス、例えばパネル体を備えるガードフェンスに関する。
【背景技術】
【０００２】
従来から、人が入り込まないように、工事現場及び施工現場などの周囲に仮囲いとしてガードフェンス（防護柵）が設置されている（例えば、特許文献１参照）。
【０００３】
このようなガードフェンスは、特許文献１に記載のように、一対の縦枠材（縦材）とこれを横方向に連結する複数の横枠材（横材）とからなる枠体の内側に複数の突片が溶接されており、この突片にネジ等の取付具を介して標示板（パネル体）や金網などのフェンス本体が取り付けられる。
【先行技術文献】
【特許文献】
【０００４】
【特許文献１】登録実用新案第３１９１７４８号公報
【考案の概要】
【考案が解決しようとする課題】
【０００５】
従来のガードフェンスは、突片を溶接する必要があるため、製造工程数が多く手間が掛かった。
【０００６】
本考案は、以上の点に鑑み、溶接個所を削減することができるガードフェンスを提供することを目的とする。
【課題を解決するための手段】
【０００７】
［１］上記目的を達成するため、本考案は、フェンス本体と、フェンス本体の縁に沿って延びる棒部材と、を備えるガードフェンスであって、棒部材を挿通させた環状部と、環状部に一体に設けられた突片と、を有する固定部材を備え、固定部材の突片にフェンス本体の縁部（例えば、実施形態の金網枠６。以下同一。）が固定され、固定部材は押出成型により無端の環状部と突片とが一体に成形されていることを特徴とする。
【０００８】
本考案によれば、固定部材は棒部材を継ぎ目のない無端の環状部に挿通させて棒部材に取り付けられているため、従来のように突片を棒部材に溶接する必要が無い。従って、ガードフェンスの溶接個所を削減することができる。また、環状部と突片とが押出成型によって一体に成形されているため、環状部を分割して棒部材を挟み込むようにしてボルトで固定する必要がなく組立工程の簡略化を図ることができる。
【０００９】
［２］また本考案において、前記フェンス本体を、第１フェンス本体と、第２フェンス本体との２つで構成し、前記棒部材を、第１フェンス本体と第２フェンス本体との間に位置するように配置し、前記固定部材の前記突片を、第１フェンス本体に固定される第１突片と、第２フェンス本体に固定される第２突片とで構成することができる。
【００１０】
かかる構成によれば、１つの固定部材で第１フェンス本体と第２フェンス本体との両方を固定することができ、第１フェンス本体用の突片と第２フェンス本体用の突片とを夫々棒部材に溶接する必要がある従来品と比較して組立工数の更なる簡略化を図ることができる。
【００１１】
［３］また本考案においては、前記突片にフック部を設け、フック部を前記フェンス本体に係合させることにより前記固定部材の突片をフェンス本体に固定することもできる。
【００１２】
［４］また本考案においては、前記突片に挿通孔を設け、挿通孔にネジを挿通してネジを前記フェンス本体に係合させることにより前記固定部材の前記突片をフェンス本体に固定することもできる。
【００１３】
［５］また本考案においては、前記第１フェンス本体を金網とし、前記第２フェンス本体をパネル体として、前記第１突片にフック部を設け、前記第２突片に挿通孔を設け、フック部を金網に係合させることにより固定部材を介して金網を棒部材に固定し、挿通孔にネジを挿通して固定部材を介してパネル体をネジで棒部材に固定することもできる。
【００１４】
［６］また本考案は、前記棒部材が、前記フェンス本体を囲う枠体の一部であって、横方向に延びており、前記金網は棒部材の上方に配置され、前記パネル体は棒部材の下方に配置されるガードフェンスにも適用することができる。
【図面の簡単な説明】
【００１５】
【図１】本考案のガードフェンスの実施形態を示す説明図。
【図２】本実施形態の中央固定部材を示す斜視図。
【図３】本実施形態の中央固定部材を示す断面図。
【図４】本実施形態の上端固定部材を示す斜視図。
【図５】本実施形態の下端固定部材を示す斜視図。
【考案を実施するための形態】
【００１６】
図を参照して、本考案のガードフェンスの実施形態を説明する。図１を参照して、本実施形態のガードフェンス１は、長方形状の金網２と、長方形状のパネル体３と、金網２とパネル体３とを囲う矩形状の枠体４とを備える。金網２は、金網本体５と、金網本体５を囲う金網枠６（本考案のフェンス本体の縁部に該当）とで構成されている。
【００１７】
ガードフェンス１の枠体４は、上下方向（縦方向）に延びる左右一対の縦枠部７，７と、縦枠部７，７の上端部を連結する上枠部８と、縦枠部７，７の下端部を連結する下枠部９と、縦枠部７，７の中間部を連結する中枠部１０とで構成される。縦枠部７，７、上枠部８、下枠部９及び中枠部１０はいずれもパイプ材で構成されており、溶接によって連結されている。
【００１８】
左右一対の縦枠部７，７、上枠部８及び中枠部１０で画成される空間には、金網２が配置されている。左右一対の縦枠部７，７、下枠部９及び中枠部１０で画成される空間には、パネル体３が配置されている。
【００１９】
縦枠部７，７の内側には、中枠部１０が溶接された箇所よりも上方に位置させて３つのフック７ａが溶接にて固定されている。フック７ａは、金網２の金網枠６に引っ掛けて金網２を縦枠部７，７に固定している。また、縦枠部７，７の内側には、中枠部１０が溶接された箇所よりも下方に位置させて２つの板片７ｂが設けられている。板片７ｂには貫通孔７ｃが設けられ、この貫通孔７ｃにボルトを挿通してナットを螺合させることでボルトヘッドとナットとでパネル体３を挟み込むようにして、板片７ｂにパネル体３を固定している。
【００２０】
中枠部１０には、両端を縦枠部７，７に溶接する前に中央固定部材１１が３つ設けられている。
【００２１】
図２を参照して、中央固定部材１１は、左右方向（横方向）に開口する円筒状の環状部１２と、環状部１２の上方に設けられた第１突片１３と、環状部１２の下方に設けられた第２突片１４とを備えている。
【００２２】
第１突片１３の先端部は、フック形状に形成されたフック部１３ａとなっており、図３に示すように、フック部１３ａを金網枠６に引っ掛けて係合させることにより金網２を中枠部１０に固定している。
【００２３】
図２を参照して、第２突片１４には前後方向に貫通する挿通孔１４ａが設けられている。図３に示すように、挿通孔１４ａには、ネジ１５の雄ネジ部が挿通される。パネル体３には、挿通孔１４ａに対応させて貫通孔３ａが設けられている。そして、挿通孔１４ａに挿入するネジ１５の雄ネジ部をパネル体３の貫通孔３ａに先に挿通させて、その後、挿通孔１４ａにも挿通させてからナット１６を螺合させることにより、ネジ１５とナット１６でパネル体３を第２突片１４に固定する。
【００２４】
中央固定部材１１は、環状部１２と第１突片１３と第２突片１４とがアルミニウム材の押出成型によって、一体に成形されている。このため、環状部１２には、溶接個所などの継ぎ目（接続部分）が無く無端であり、高い耐久性を発揮することができる。第２突片１４の挿通孔１４ａは押出機でアルミニウム材を押し出した後に切断機で所定の長さに切断するときに切断と同時に穿設している。
【００２５】
中央固定部材１１は、中枠部１０の両端を縦枠部７，７に溶接する前に環状部１２に中枠部１０を挿通させることによって中枠部１０に取り付けられている。中枠部１０は、中央固定部材１１と取り付けた後に、縦枠部７，７に溶接される。
【００２６】
図１を参照して、上枠部８には、両端を縦枠部７，７に溶接する前に上端固定部材１７が３つ設けられている。
【００２７】
図４を参照して、上端固定部材１７は、左右方向（横方向）に開口する円筒状の環状部１８と、環状部１８の下方に設けられた突片１９とを備えている。突片１９の先端部はフック形状に形成されたフック部１９ａとなっており、図３で示した中央固定部材１１のフック部１３ａと同様に、フック部１９ａを金網枠６に引っ掛けて係合させることにより金網２を上枠部８に固定している。
【００２８】
上端固定部材１７は、環状部１８と突片１９とがアルミニウム材の押出成型によって一体に成形されている。このため、環状部１８には溶接個所などの継ぎ目（接続部分）が無く無端であり、高い耐久性を発揮することができる。
【００２９】
上端固定部材１７は、上枠部８の両端を縦枠部７，７に溶接する前に環状部１８に上枠部８を挿通させることによって上枠部８に取り付けられている。上枠部８は、上端固定部材１７を取り付けた後に、縦枠部７，７に溶接される。
【００３０】
図１を参照して、下枠部９には、両端を縦枠部７，７に溶接する前に下端固定部材２０が３つ設けられている。
【００３１】
図５を参照して、下端固定部材２０は、左右方向（横方向）に開口する円筒状の環状部２１と、環状部２１の上方に設けられた突片２２とを備えている。突片２２には、前後方向に貫通する挿通孔２２ａが設けられている。挿通孔２２ａには、ネジの雄ネジ部が挿入される。パネル体３には、挿通孔２２ａに対応させて貫通孔が設けられている。そして、挿通孔２２ａに挿入するネジの雄ネジ部をパネル体３の貫通孔に先に挿入させて、その後、挿通孔２２ａにも挿通させてからナットを螺合させることにより、ネジとナットでパネル体３を突片２２に固定する。
【００３２】
下端固定部材２０は、環状部２１と突片２２とがアルミニウム材の押出成型によって、一体に形成されている。このため、環状部２１には溶接個所などの継ぎ目（接続部分）が無く無端であり、高い耐久性を発揮することができる。突片２２の挿通孔２２ａは、押出機でアルミニウム材を押し出した後に切断機で所定の長さに切断するときに切断と同時に穿設している。
【００３３】
下端固定部材２０は、下枠部９の両端を縦枠部７，７に溶接する前に環状部２１に下枠部９を挿通させることによって下枠部９に取り付けられている。下枠部９は、下端固定部材２０と取り付けた後に、縦枠部７，７に溶接される。
【００３４】
本実施形態のガードフェンス１によれば、中央固定部材１１、上端固定部材１７及び下端固定部材２０は、中枠部１０、上枠部８及び下枠部９を継ぎ目のない無端の環状部１２，１８，２１に挿通させて中枠部１０、上枠部８及び下枠部９に夫々取り付けられている。
【００３５】
従って、従来のように、中央固定部材１１、上端固定部材１７及び下端固定部材２０を、中枠部１０、上枠部８及び下枠部９に夫々溶接する必要が無い。よって、ガードフェンス１の溶接個所を削減することができる。
【００３６】
また、溶接個所の削減によって溶接に伴う枠体４のメッキなどが剥がれる虞が減少し、再度塗装し直す手間を少なくすることができる。また溶接個所の削減によって、溶接に伴う熱による枠体４の歪み等を抑制させることもできる。
【００３７】
また、中央固定部材１１、上端固定部材１７及び下端固定部材２０は、環状部１２，１８，２１と突片１３，１４，１９，２２とが押出成型によって一体に成形されているため、環状部を分割して棒部材を挟み込むようにしてボルトで固定する必要がなく、組立工程の簡略化を図ることができる。
【００３８】
また、中央固定部材１１、上端固定部材１７及び下端固定部材２０は、中枠部１０、上枠部８及び下枠部９に沿って左右方向（横方向）に摺動することができ、金網２及びパネル体３に対する中央固定部材１１、上端固定部材１７及び下端固定部材２０の位置合わせが容易となる。
【００３９】
また、中央固定部材１１は、１つの固定部材で金網２とパネル体３との両方を固定することができ、金網２用の突片とパネル体３用の突片とを夫々中央固定部材１１に溶接する必要がある従来品と比較して、組立工数の更なる簡略化を図ることができる。
【００４０】
本実施形態においては、上枠部８、下枠部９及び中枠部１０が本考案の棒部材に該当し、中央固定部材１１、上端固定部材１７及び下端固定部材２０が本考案の固定部材に該当する。上枠部８、下枠部９及び中枠部１０は、何れも枠体４の一部を構成している。また、金網２又はパネル体３が本考案の第１フェンス本体に該当し、パネル体３又は金網２が第２フェンス本体に該当する。
【００４１】
なお、本考案の第１フェンス本体及び第２フェンス本体は、両者とも金網又はパネル体で構成してもよい。
【００４２】
また、金網２、パネル体３は長方形状に限らず、正方形状などの他の矩形状や、円形状等の他の形状であってもよい。この場合、棒部材は、金網２やパネル体３等のフェンス本体の縁に沿う形状とすればよい。
【符号の説明】
【００４３】
１…ガードフェンス、２…金網（第１フェンス本体）、３…パネル体（第２フェンス本体）、３ａ…貫通孔、４…枠体、５…金網本体、６…金網枠（縁部）、７…縦枠部、７ａ…フック、７ｂ…板片、７ｃ…貫通孔、８…上枠部（棒部材）、９…下枠部（棒部材）、１０…中枠部（棒部材）、１１…中央固定部材（固定部材）、１２…環状部、１３…第１突片、１３ａ…フック部、１４…第２突片、１４ａ…挿通孔、１５…ネジ、１６…ナット、１７…上端固定部材（固定部材）、１８…環状部、１９…突片、１９ａ…フック部、２０…下端固定部材（固定部材）、２１…環状部、２２…突片、２２ａ…挿通孔。
【図１】
0003204707.tif 000003
【図２】
0003204707.tif 000004
【図３】
0003204707.tif 000005
【図４】
0003204707.tif 000006
【図５】
0003204707.tif 000007